【手続補正書】
【提出日】平成15年11月25日(2003.11.25)
【手続補正１】
【補正対象書類名】明細書
【補正対象項目名】特許請求の範囲
【補正方法】変更
【補正の内容】
【特許請求の範囲】
【請求項１】
結像光学系を介して結像した被写体像を画像信号に変換する撮像装置において、輪郭補正信号を生成する輪郭補正信号生成手段と、該輪郭補正信号生成手段から得られる輪郭補正信号を可変比でもって二系統に分配する分配手段と、該分配手段の分配比を設定する分配比設定手段と、画像出力装置の出力特性を補償するためのガンマ補正手段と、該ガンマ補正手段の入力信号と上記分配手段より得られる第１の輪郭補正信号とを加算する第１の加算手段と、該ガンマ補正手段によりガンマ補正された後の信号と上記分配手段より得られる第２の輪郭補正信号とを加算する第２の加算手段とを含んで構成され、ガンマ補正が施された輝度信号を出力することを特徴とする撮像装置。
【請求項２】
前記輪郭補正信号生成手段は、画像の高域成分を基に輪郭補正信号を生成することを特徴とする請求項１記載の撮像装置。
【請求項３】
前記第１の加算手段は、Ｒ（赤），Ｇ（緑），Ｂ（青）の三つの原色信号の各々に対して輪郭補正信号を加算し、前記ガンマ補正手段は該原色信号各々にガンマ補正を施すことを特徴とする請求項１記載の撮像装置。
【請求項４】
前記第１の加算手段は、輝度信号に対して輪郭補正信号を加算することを特徴とする請求項１記載の撮像装置。
【請求項５】
前記第２の加算手段は、ガンマ補正されたＲＧＢ原色信号からマトリックス変換により得られた輝度信号に対して輪郭補正信号を加算することを特徴とする請求項１記載の撮像装置。
【請求項６】
前記第２の加算手段は、基準値を記憶する記憶手段と、該記憶手段に基準値を設定する基準値設定手段と、基準値とガンマ補正された信号とのレベルを比較する比較手段と、該比較手段による比較結果によりガンマ補正された信号と輪郭補正信号との加算を制御する制御手段とから構成され、ガンマ補正された信号が基準値より大なる場合には、輪郭補正信号の加算を行わないよう動作することを特徴とする請求項１記載の撮像装置。
【請求項７】
前記画像出力装置はＣＲＴであり、前記ガンマ補正手段は前記ＣＲＴの電圧・発光特性を補償するためのものであることを特徴とする請求項１〜６のいずれかに記載の撮像装置。
【請求項８】
輪郭補正信号を生成する輪郭補正信号生成手段と、該輪郭補正信号生成手段から得られる輪郭補正信号を可変比でもって二系統に分配する分配手段と、画像出力装置の出力特性を補償するためのガンマ補正手段と、該ガンマ補正手段の入力信号と上記分配手段より得られる第１の輪郭補正信号とを加算する第１の加算手段と、該ガンマ補正手段によりガンマ補正された後の信号と上記分配手段より得られる第２の輪郭補正信号とを加算する第２の加算手段と、被写体の明るさに応じて上記分配手段における分配比を変化させる制御手段とを含んで構成され、ガンマ補正が施された輝度信号を出力することを特徴とする撮像装置。
【請求項９】
前記制御手段において、被写体の明るさが暗くなるに応じて、前記第１の輪郭補正信号に対する分配比が小となるように制御せしめることを特徴とする請求項８記載の撮像装置。
【請求項１０】
前記第２の加算手段は、基準値を記憶する記憶手段と、該記憶手段に基準値を設定する基準値設定手段と、基準値とガンマ補正された信号とのレベルを比較する比較手段と、該比較手段による比較結果によりガンマ補正された信号と輪郭補正信号との加算を制御する制御手段とから構成され、ガンマ補正された信号が基準値より大なる場合には、輪郭補正信号の加算を行わないよう動作することを特徴とする請求項８記載の撮像装置。
【請求項１１】
前記画像出力装置はＣＲＴであり、前記ガンマ補正手段は前記ＣＲＴの電圧・発光特性を補償するためのものであることを特徴とする請求項８〜１０のいずれかに記載の撮像装置。
【手続補正２】
【補正対象書類名】明細書
【補正対象項目名】００１２
【補正方法】変更
【補正の内容】
【００１２】
（１）  結像光学系を介して結像した被写体像を画像信号に変換する撮像装置において、輪郭補正信号を生成する輪郭補正信号生成手段と、該輪郭補正信号生成手段から得られる輪郭補正信号を可変比でもって二系統に分配する分配手段と、該分配手段の分配比を設定する分配比設定手段と、画像出力装置の出力特性を補償するためのガンマ補正手段と、該ガンマ補正手段の入力信号と上記分配手段より得られる第１の輪郭補正信号とを加算する第１の加算手段と、該ガンマ補正手段によりガンマ補正された後の信号と上記分配手段より得られる第２の輪郭補正信号とを加算する第２の加算手段とを含んで構成され、ガンマ補正が施された輝度信号を出力することを特徴とする撮像装置。


【手続補正３】
【補正対象書類名】明細書
【補正対象項目名】００１７
【補正方法】変更
【補正の内容】
【００１７】
（６）  前記第２の加算手段は、基準値を記憶する記憶手段と、該記憶手段に基準値を設定する基準値設定手段と、基準値とガンマ補正された信号とのレベルを比較する比較手段と、該比較手段による比較結果によりガンマ補正された信号と輪郭補正信号との加算を制御する制御手段とから構成され、ガンマ補正された信号が基準値より大なる場合には、輪郭補正信号の加算を行わないよう動作することを特徴とする前項（１）記載の撮像装置。
（７） 前記画像出力装置はＣＲＴであり、前記ガンマ補正手段は前記ＣＲＴの電圧・発光特性を補償するためのものであることを特徴とする前項（１）〜（６）のいずれかに記載の撮像装置。
【手続補正４】
【補正対象書類名】明細書
【補正対象項目名】００１８
【補正方法】変更
【補正の内容】
【００１８】
（８）  輪郭補正信号を生成する輪郭補正信号生成手段と、該輪郭補正信号生成手段から得られる輪郭補正信号を可変比でもって二系統に分配する分配手段と、画像出力装置の出力特性を補償するためのガンマ補正手段と、該ガンマ補正手段の入力信号と上記分配手段より得られる第１の輪郭補正信号とを加算する第１の加算手段と、該ガンマ補正手段によりガンマ補正された後の信号と上記分配手段より得られる第２の輪郭補正信号とを加算する第２の加算手段と、被写体の明るさに応じて上記分配手段における分配比を変化させる制御手段とを含んで構成され、ガンマ補正が施された輝度信号を出力することを特徴とする撮像装置。


【手続補正５】
【補正対象書類名】明細書
【補正対象項目名】００１９
【補正方法】変更
【補正の内容】
【００１９】
（９）  前記制御手段において、被写体の明るさが暗くなるに応じて、前記第１の輪郭補正信号に対する分配比が小となるように制御せしめることを特徴とする前項（８）記載の撮像装置。


【手続補正６】
【補正対象書類名】明細書
【補正対象項目名】００２０
【補正方法】変更
【補正の内容】
【００２０】
（１０）  前記第２の加算手段は、基準値を記憶する記憶手段と、該記憶手段に基準値を設定する基準値設定手段と、基準値とガンマ補正された信号とのレベルを比較する比較手段と、該比較手段による比較結果によりガンマ補正された信号と輪郭補正信号との加算を制御する制御手段とから構成され、ガンマ補正された信号が基準値より大なる場合には、輪郭補正信号の加算を行わないよう動作することを特徴とする前項（８）記載の撮像装置。
（１１） 前記画像出力装置はＣＲＴであり、前記ガンマ補正手段は前記ＣＲＴの電圧・発光特性を補償するためのものであることを特徴とする前項（８）〜（１０）のいずれかに記載の撮像装置。